(57)【要約】【課題】書籍を開いた状態を保持し、しおりとしての機能も持ち、かつ構造を単純にすることにより簡単に使用できるページ押さえ兼しおりを提供する。【解決手段】  書籍６の開かれたページを押さえることにより、開いた状態を保持する書籍ページ押さえ兼しおり器具であり、らせん状もしくはコ字状の把持部を形成し、把持部の挟み部１と押圧部を連結し一体化することにより、構造が単純で簡単に使用できる特徴を持つ。【選択図】図１
2009067036.tif 000002
【特許請求の範囲】
【請求項１】
把持部はらせん構造を呈し、閉合した挟み部１と挟み部３が形成され、挟み部１は一端を延長し、押圧部２を形成した書籍ページ押さえ器具兼しおり器具である。
【請求項２】
紙片を挟持してズレを防止する挟み部１と挟み部３によって形成される把持部の挟み部１と、書籍のページが閉じるのを防ぐ押圧部２とを連結し一体化した書籍ページ押さえ器具兼しおり器具である。
【請求項３】
挟み部３には突出部４が形成されている請求項１ないし請求項２に記載の書籍ページ押さえ器具兼しおり器具である。
【発明の詳細な説明】
【技術分野】
【０００１】  本発明は、学習時もしくは読書時に書籍を開いた状態に保持しておく機能を備えたしおり具に関するものである。
【背景技術】
【０００２】  従来から、書籍を開いた状態に保持しておくページ押さえ器具として、特許文献１、特許文献２、特許文献３に開示されているものがある。
【特許文献１】  特開２００２−１０３８５０号公報
【特許文献２】  特開１９９７−２０７４７１号公報
【特許文献３】  特開２００７−６９４９８号公報
【発明の開示】
【発明が解決しようとする課題】
【０００３】  「特許文献１」は書籍を開いた状態で大きなクリップにより本の上端部を把持するものであり、ページ押さえとしては機能しているが、携帯には不便であり、しおりとして機能もなく、書籍に装着したまま持ち運ぶことができない。【０００４】  「特許文献２」は開いた書籍の左右のページを保持するものであり、書籍の幅に合わせて調節が必要であり、書籍をセットするために上下させる必要があり、面倒である。【０００５】  「特許文献３」は紙片を挟むクリップに紙片を押える回転自在な平板を持つしおり兼ページ押さえ器具であるが、平板とクリップが別々であるため器具に厚みが増し、また、使用するに当たり平板が複雑な動きをするため容易な操作により成されるものではない。【０００６】  本発明は、このような従来の問題点を考慮してなされたものであり、書籍を開いた状態で確実に維持し、また、しおりとしての機能を持ち、単純な構造であることを目的としている。
【課題を解決するための手段】
【０００７】  本発明の請求項１に係る書籍のページ押さえ機能を持つしおりは、図１のように把持部はらせん構造を呈し、閉合した挟み部１と挟み部３とからなり、挟み部１は一端を延長し、押圧部２を形成する。把持部は、図１，２，３に示すように把持部は１個でもよいが、図１２のように挟み板３を２つ設けることにより、把持部を２個にしてもよい。【０００８】  請求項２に記載の書籍のページ押さえ機能を持つしおりは、紙片を挟持してズレを防止する挟み部１と挟み部３によって形成される把持部と、書籍のページが閉じるのを防ぐ押圧部２とを連結し一体化した。把持部は、図８、９に示すように断面をコ字状形態にしてもよい。また、図８、９に示すように把持部は１個でもよいが、図１３のように挟み板３を２つ設けることにより、把持部を２個にしてもよい。【０００９】  請求項３に記載のページ押さえ兼しおりは、挟み部３には突出部４が形成されており、突出部４は丸型でも角型でもよいものとする。【００１０】  請求項１に記載のページ押さえ兼しおりを形成するものは板状だけでなく、図１０のように線状でも良いものとし、また、図１１のように線状と平板を併用してもよいものとする。【００１１】  請求項１〜３に係る書籍のページ押さえ機能を持つしおりは、単純な構造で器具本体の厚みをなくすことができ、面倒な操作がいらず書籍ページ押さえとしおり２つの機能を持ち合わせている。
【発明の効果】
【００１２】  上述したように本発明の書籍ページ押え機能を持つしおりは、面倒な操作を必要とせず、書籍のページが開いた状態を確実に保持し、しおりとしても使用できる。書籍に装着したまま持ち運びができ、単純な構造であるため厚みが少ない。
【発明を実施するための最良の形態】
【００１３】  図１は把持部と押圧部を備えた本発明の斜視図、図２は平面図、図３は左側面図である。書籍の紙片は把持部の挟み部１と挟み部３によって把持される。書籍への装着方法は、図４に示すように把持部の挟み部３の突出部４をガイドにして、押圧部２と突出部４とで形成される交差部５から書籍６の数ページを挟むように、書籍の左上端もしくは右下端に装着する。左上端から装着した状態を図５に示す。器具を装着したまま書籍の閉じ部７に向かって、図６に示すように押圧部が書籍の右ページ部を押圧できるようにスライドさせる。装着の段階で閉じ部７に近ければ、スライドさせる必要はない。【００１４】  書籍を閉じる際に、再び同じページを開きたい場合には、把持部を中心に、押圧部を把持し時計回りに９０度回転させるか、もしくは、一度差しかえて図７ように装着する。【００１５】  装着に際しても簡単であり、書籍を閉じる際にもすぐに閉じることができる。また開いたときに、しおりとしての機能を持っているため同じページを開くことができる。
【実施例１】
【００１６】  実施例１を図８、９に基づいて説明する。紙片を挟持してズレを防止する挟み部１と挟み部３によって形成される把持部は、断面をコ字状に形成している。実施例１のようにしても、同様に書籍ページ押さえ器具兼しおり器具の役割を果たす。
【実施例２】
【００１７】  実施例２を図１０、１１に基づいて説明する。構造物は図１０のように線状からなり、把持部と押圧部を形成している。また、図１１ように線状と平板を併用し把持部と押圧部を形成している。実施例２のようにしても、同様に書籍ページ押さえ器具兼しおり器具の役割を果たす。
【実施例３】
【００１８】  実施例３を図１２、１３に基づいて説明する。把持部は図１２、１３のように押圧部上下に２箇所設けてある。図１２は図１の構造物に挟み部３を１個付け加えたものであり、図１３も図８の構造物に挟み部３を１個付け加えたものである。書籍のページを左右上端下端どこからでも把持でき、同様に書籍ページ押さえ器具兼しおり器具の役割を果たす。
【図面の簡単な説明】
【００１９】
【図１】本発明の実施形態を示す装置の斜視図
【図２】本発明の実施形態を示す装置の平面図
【図３】本発明の実施形態を示す装置の左側面図
【図４】本発明の実施形態を示す装置の使用態様図
【図５】本発明の実施形態を示す装置の使用態様図
【図６】本発明の実施形態を示す装置の使用態様図
【図７】本発明の実施形態を示す装置の使用態様図
【図８】本発明の第１実施例を示す装置の斜視図
【図９】本発明の第１実施例を示す装置の左側面図
【図１０】本発明の第２実施例を示す装置の斜視図
【図１１】本発明の第２実施例を示す装置の斜視図
【図１２】本発明の第３実施例を示す装置の斜視図
【図１３】本発明の第３実施例を示す装置の斜視図
【符号の説明】
【００２０】１  挟み部
２  押圧部
３  挟み部
４  突出部
５  交差部
６  書籍
７  書籍の閉じ部
【図１】
2009067036.tif 000003
【図２】
2009067036.tif 000004
【図３】
2009067036.tif 000005
【図４】
2009067036.tif 000006
【図５】
2009067036.tif 000007
【図６】
2009067036.tif 000008
【図７】
2009067036.tif 000009
【図８】
2009067036.tif 000010
【図９】
2009067036.tif 000011
【図１０】
2009067036.tif 000012
【図１１】
2009067036.tif 000013
【図１２】
2009067036.tif 000014
【図１３】
2009067036.tif 000015